(57)【特許請求の範囲】
【請求項１】
タイヤ内側の骨格を形成するケーシングを、トレッド部から左右両側のビード部に至るように配置し、その両端部をそれぞれ各ビードコアに巻き上げることなく前記ビードコア近傍で終端させたカーカス層本体と、前記カーカス層本体の両端部を、それぞれ前記ビードコアの内周側から左右両側へ折り返すように挟み込むカーカスホールド層とから構成し、さらに少なくともタイヤ外側に配置する前記カーカスホールド層の端部は折り曲げられた２層構造からなる重荷重用空気入りタイヤ。
【請求項２】
前記カーカスホールド層が補強コードを平行に埋設したゴムシートを部分的に２層バイアス積層してなり、しかも前記カーカスホールド層の折り曲げ端部で補強コードが連続している請求項１記載の重荷重用空気入りタイヤ。
【請求項３】
タイヤ外側に配置する前記カーカスホールド層の折り曲げ端部がリムフランジ高さとタイヤ最大断面幅位置との間に配置してなる請求項１または２に記載の重荷重用空気入りタイヤ。
【請求項４】
タイヤ外側に配置する前記カーカスホールド層の端部と前記カーカス層本体の層間距離が１．５ｍｍ以下である請求項１から３のいずれか１項に記載の重荷重用空気入りタイヤ。
【請求項５】
タイヤ外側と内側に配置する前記カーカスホールド層と前記カーカス層本体の接触長さが合計で４０ｍｍ以上である請求項１から４のいずれか１項に記載の重荷重用空気入りタイヤ。
【請求項６】
前記カーカスホールド層の補強コードがテキスタイルコードおよび／またはスチールコードからなる請求項１から５のいずれか１項に記載の重荷重用空気入りタイヤ。
【請求項７】
前記カーカスホールド層の外側と内側の両折り曲げ端部で補強コードが連続している請求項１から６のいずれか１項に記載の重荷重用空気入りタイヤ。
【請求項８】
前記カーカスホールド層の補強コードがスチールコードからなり、かつスチールコードフィラメントの太さが直径０．１０ｍｍから０．１７５ｍｍである請求項１から７のいずれか１項に記載の重荷重用空気入りタイヤ。
【発明の詳細な説明】
【０００１】
【発明の属する技術分野】
本発明は、空気入りタイヤに関し、さらに詳しくはタイヤ荷重耐久性能と操縦安定性能を向上させた重荷重用空気入りタイヤに関する。
【０００２】
【従来の技術】
従来、空気入りタイヤの骨格を構成するタイヤケーシングは、図８を代表例として示すように、ベルト層９およびカーカス層１１がトレッド部２から左右両側のサイド部３を経てビード部４に至るように配置され、カーカス層両端部１１ｅをそれぞれビードコア６の周りにタイヤ内側から外側にビードフィラー７を包み込むように巻き上げ、ビード部補強層１２を更にカーカス外側に配置して構成されていた。
【０００３】
したがって、タイヤケーシングが上記のように構成されていることにより、カーカス層両端部１１ｅやタイヤ外側ビード補強層端部１２ｅに次のような諸問題を生じていた。
まず、タイヤをインフレートさせると内圧によりビードコア６まわりにカーカス層１１が回転するように内側に引張られるため、カーカス層両端部１１ｅやタイヤ外側ビード補強層端部１２ｅに図中の矢印（図中Ｔ→）で示す方向に引っ張り応力を生じる。
【０００４】
また、タイヤの接地領域ではタイヤに極端に大きい負荷が加わると同じくカーカス層両端部１１ｅやタイヤ外側ビード補強層端部１２ｅには、図中に矢印（図中Ｂ→）で示す方向に曲げられることにより圧縮応力が生じる。この引張りと圧縮の繰り返しにより、カーカス層両端部１１ｅやタイヤ外側ビード補強層端部１２ｅでのタイヤの荷重耐久性が損なわれるのである。
そこで、図９のようにスチールタイヤ外側ビード補強層１２に変えて、テキスタイルビード部補強コード１３を使用したり様々な改良策が試みられているが、カーカス層両端部１１ｅの荷重耐久性能の向上には限界が有った。
【０００５】
さらに耐え難いことには、タイヤがコーナリング時などの横方向変形を受けた場合、車両の旋回内側のビード部分が８図中の矢印（図中Ｂ→）と同じ方向に変形を受けるため、縦方向荷重と横方向変形が共同してリムからタイヤビード部分を内側に移動する方向に働き、非接地領域ではまた元の状態に戻ろうとする。このような繰り返しがタイヤにギクシャクした動きを与え、操舵時の車両の動きが滑らかでなくタイヤ操縦安定性の評価における所謂腰くだけ感が生じ易い等の不都合が有った。
【０００６】
【発明の解決しようとする課題】
発明の目的は、タイヤ構成部品点数を増加しなくても、タイヤ荷重耐久性能と操縦安定性能を向上するようにした重荷重用空気入りタイヤを提供することにある。
【０００７】
【課題を解決するための手段】
本発明によれば、タイヤ内側の骨格を形成するケーシングを、トレッド部から左右両側のビード部に至るように配置し、その両端部をそれぞれ各ビードコアに巻き上げることなく該ビードコア近傍で終端させたカーカス層本体と、前記カーカス層本体の両端部を、それぞれ前記ビードコアの内周側から左右両側へ折り返すように挟み込むカーカスホールド層とから構成し、さらに少なくともタイヤ外側に配置する前記カーカスホールド層の端部は折り曲げられた２層構造からなる重荷重用空気入りタイヤが提供される。
【０００８】
また本発明によれば、前記カーカスホールド層が補強コードを平行に埋設したゴムシートを部分的に２層バイアス積層してなり、しかも前記カーカスホールド層の折り曲げ端部で補強コードが連続している重荷重用空気入りタイヤが提供される。
【０００９】
また本発明によれば、タイヤ外側に配置する前記カーカスホールド層の折り曲げ端部がリムフランジ高さとタイヤ最大断面幅位置との間に配置してなる重荷重用空気入りタイヤが提供される。
【００１０】
また本発明によれば、タイヤ外側に配置する前記カーカスホールド層の折り曲げ端部と前記カーカス層本体の層間距離が１．５ｍｍ以下である重荷重用空気入りタイヤが提供される。
【００１１】
また本発明によれば、タイヤ外側と内側に配置する前記カーカスホールド層と前記カーカス層本体の接触長さが合計で４０ｍｍ以上である重荷重用空気入りタイヤが提供される。
【００１２】
また本発明によれば、前記カーカスホールド層の補強コードがテキスタイルコードおよび／またはスチールコードからなる重荷重用空気入りタイヤが提供される。
【００１３】
また本発明によれば、前記カーカスホールド層の外側と内側の両折り曲げ端部で補強コードが連続している重荷重用空気入りタイヤが提供される。
【００１４】
また本発明によれば、前記カーカスホールド層の補強コードがスチールコードからなり、かつスチールコードフィラメントの太さが直径０．１０ｍｍから０．１７５ｍｍである重荷重用空気入りタイヤが提供される。
【００１５】
【発明の実施の形態】
以下、本発明の実施の形態を図を用いて説明するが、本発明の範囲はこれらの実施形態に限定されないこともちろんである。
図１は、本発明の一実施形態の重荷重用空気入りタイヤを示す子午線方向半断面図である。
【００１６】
図１の実施形態は空気入りタイヤの骨格を形成するタイヤケーシング１０が、ベルト層９とスチールコードからなるカーカス層本体１と、同じくスチールコードからなるカーカスホールド層８とから構成されている。さらに、タイヤ外側に配置するカーカスホールド層８の折り曲げ端部８ｆは折り曲げられた２層構造であって、カーカス層本体１は、タイヤ内側にトレッド部２から左右のサイド部３を経てビード部４に至るように配置され、その端部１ｅは、ビードコア６に巻き上げられることなく、ビードコア６の外周側の位置で終端となっている。このカーカス層本体１の端部１ｅは、ビードフィラー７の内側に配置された状態で、ビードコア６の内周側から左右両側へ折り返すようにしたカーカスホールド層８により、挟み込まれている。
【００１７】
上述した構成の空気入りタイヤによると、グリーンタイヤの成形加硫時のリフト操作（タイヤにパターンを付けるため未加硫タイヤを小さく作り、加硫工程で１０％弱大きくすること。）により、カーカス層本体１の端部１ｅがトレッド側に引張られるが、その張力がカーカスホールド層８とカーカス本体層１との間に相対移動（ズレ）を生じて吸収されるため、ビードコア６が捩じられて変形することがない。そのため、内圧充填時にビードコア６廻りの回転モーメントが生じなくなるばかりでなく、タイヤが横方向の変形を受けても縦方向荷重と横方向変形が共同してリムからタイヤビード部分を内側に移動する方向に働かなくなるため、タイヤ操縦安定性の評価における所謂タイヤの腰くだけ感が生じ難くなる。
【００１８】
本発明において、カーカスホールド層８は補強コードを平行に埋設したゴムシートを折り曲げ端部８ｆで折り曲げることにより、折り曲げ端部８ｆで補強コードが連続しておりしかもタイヤ周方向に対して２０度〜６０度でバイアス積層しているため、補強コードの切断破面が応力の集中する折り曲げ端部８ｆに存在しない。また、カーカス層本体１の端部１ｅは比較的変形の小さいビードコア近傍に位置する構成にすることにより、カーカス層本体の端部１ｅやカーカスホールド層８の折り曲げ端部８ｆの耐久性能を向上できる。
【００１９】
本発明において、カーカスホールド層８の折り曲げ端部８ｆのタイヤ内外における延長高さは同じであっても、異なっていてもよいが、少なくともタイヤ外側の折り曲げ端部８ｆはリムフランジ高さＰ１とタイヤ最大断面幅位置Ｐ２との間に配置することが好ましい。それによって、比較的変形の小さい領域にカーカスホールド層８の折り曲げ端部８ｆが位置し、荷重耐久性能が向上する。
【００２０】
さらに、本発明において、タイヤ外側に位置するカーカスホールド層８の折り曲げ端部８ｆとカーカス層本体１との層間距離が１．５ｍｍ以下である。層間ゲージを１．５ｍｍ以下とするのが好ましいのは、車両操舵時の応答性が高まるからである。車両の操舵はリムを介してタイヤに伝えられ、さらにケーシングを介して路面に力が伝播される。１．５ｍｍ超では層間での緩和が大きいために見かけ上補強層の剛性が抵下し応答性が悪くなる。
【００２１】
さらに本発明において、好ましくは、カーカス層本体１の端部１ｅとカーカスホールド層８とのタイヤ半径方向の接触長さを少なくとも４０ｍｍ以上にするのがよい。このような構成にすることにより、カーカス層本体の端部をビードコアに巻き上げなくても、タイヤケーシングを十分な強度に維持することができる。
【００２２】
すなわち、図１に示す通りカーカス層本体１とカーカスホールド層８の層間せん断剛性の代用値として４０ｍｍ未満では、カーカスコードの引っ張り破断強度とほぼ等価な引き抜き強度が得られないため、圧力容器として必要な静的強度が低くなるため、使用空気圧に対するタイヤの破壊空気圧（水圧）の余裕率が低下するため好ましくない。
【００２３】
さらに本発明において、カーカスホールド層８の補強コードの材質はテキスタイルコードの素材としては、ナイロン６６、ナイロン６４等のナイロン、ポリエチレンテレフタレート、ポリエチレン−２，６−ナフタレート等のポリエステル、レーヨン、ビニロン、アクリル、アラミド、ポリ−ｐ−フェニレンベンズビスオキサゾール、脂肪族ポリケトンなどの合成重合体が挙げられる。また、スチールコードの素材としてはフィラメントの太さが直径０．１０ｍｍから０．１７５ｍｍであれば、コード構造、撚り数、撚りピッチ、エンド数を、従来公知のタイヤの補強コードとして使用されている範囲で差し支えない。例えばスチールコード３＋９×０．１７、３＋９＋１５×０．１７＋０．１５、３／９×０．１７、３×４×０．１５などタイヤサイズによって適宜選択される。
【００２４】
図２は本発明の他の実施形態の重荷重用空気入りタイヤのビード部を示す子午線方向半断面図である。
図２の実施形態では、タイヤケーシング１０がカーカス層本体１とカーカスホールド層８とに分離構成されている基本構造は図１のタイヤと同じであるが、カーカスホールド層８の折り曲げ端部８ｆがタイヤ内・外共に設けてある点で図１の重荷重用空気入りラジアルタイヤの構成と異なっている。
かかる構成とすることで、タイヤケーシング１０のタイヤ径方向の剛性が著しく高まり、更に荷重耐久性能に優れる重荷重用空気入りタイヤが提供できる。
【００２５】
図３は、本発明の他の実施形態の重荷重用空気入りタイヤのビード部を示す子午線方向半断面図である。
図３の実施形態では、タイヤケーシング１０がカーカス層本体１とカーカスホールド層８とに分離構成されている基本構造は図１のタイヤと同じであるが、カーカスホールド層８を補強コード入りのテープ状材料を巻きまわして筒状に成形し、つぶすことで製作しタイヤ内側と外側両者が折り曲げ端部になった２層積層バイアス構造からなる点で図１の重荷重用空気入りタイヤの構成と異なっている。
かかる構成とすることで、タイヤケーシング１０のタイヤ周方向の剛性が著しく高まり、特に操縦性能に優れる重荷重用空気入りタイヤが提供できる。
【００２６】
なお、特にカーカスホールド層８の補強コードの材質をスチールコードとした場合はスチールコードのフィラメントの太さが直径０．１０ｍｍから０．１７５ｍｍである事が望ましい。０．１７５ｍｍ超ではカーカスホールド層８の折り曲げ端部８ｆの成形が困難になるばかりでなく、折り曲げ部の表面歪が大きくなり荷重耐久性能の向上が少ない。また、０．１０ｍｍ未満ではカーカスホールド層８の剛性が不足し操縦安定性の向上が少ないし、スチールコード材料コストの増加を伴い好ましくない。
【００２７】
図４は本発明の他の実施形態の重荷重用空気入りタイヤのビード部を示す子午線方向半断面図である。
図４の実施形態では、タイヤケーシング１０がカーカス層本体１とカーカスホールド層とに分離構成されている基本構造は図１のタイヤと同じであるが、カーカス層本体１の端部１ｅがタイヤ外側に終端し、しかもカーカスホールド層８の折り曲げ端部８ｆで外側に折り曲げられている点で図１の重荷重用空気入りタイヤの構成と異なっている。
かかる構成とすることで、カーカスコードパスをよりタイヤ表面側に配置可能になり、タイヤ重量当たりのタイヤ内容積が増加し、燃費性能の良好な重荷重用空気入りタイヤが提供できる。
【００２８】
図５は本発明の他の実施形態の重荷重用空気入りタイヤのビード部を示す子午線方向半断面図である。
図５の実施形態では、タイヤケーシング１０がカーカス層本体１とカーカスホールド層８とに分離構成されている基本構造は図１のタイヤと同じであるが、カーカスホールド層８の材質がテキスタイルからなり、タイヤ内側のカーカスホールド層まで２層となっている点で図１の重荷重用空気入りタイヤの構成と異なっている。なお、補強コードのタイヤ周方向に対する角度は適宜であって良いが２０度未満の角度では、径方向の引っ張り剛性が低くなりすぎ好ましくない。
かかる構成とすることで、ビード部の曲げ剛性を低く押さえることが可能になり、乗り心地性能の良好な重荷重用空気入りタイヤが提供できる。
【００２９】
図６は本発明の他の実施形態の重荷重用空気入りタイヤのビード部を示す子午線方向半断面図である。
図６の実施形態では、タイヤケーシング１０がカーカス層本体１とカーカスホールド層８とに分離構成されている基本構造は図１のタイヤと同じであるが、カーカスホールド層８がテキスタイル補強コード入りのテープ状材料を巻きまわして筒状に成形し、つぶすことで製作した２層積層バイアス構造でタイヤ内側と外側両者が折り曲げ端部になっている点で図１の重荷重用空気入りタイヤの構成と異なっている。なお、補強コードのタイヤ周方向に対する角度は適宜であって良いが６０度超の角度では、周方向の引っ張り剛性が低くなりすぎ好ましくない。
【００３０】
図７は本発明の他の実施形態の重荷重用空気入りタイヤのビード部を示す子午線方向半断面図である。
図７の実施形態では、タイヤケーシング１０がカーカス層本体１とカーカスホールド層８とに分離構成されている基本構造は図１のタイヤと同じであるが、カーカスホールド層８の補強コードがスチールコードとテキスタイルコードからなり、テキスタイルコード補強層がスチールコード補強層を内包して折り曲げられた点で図１の重荷重用空き入りタイヤの構成と異なっている。なお、補強コードのタイヤ周方向に対する角度は適宜であって良いが、タイヤ周方向に対するスチールコードとテキスタイルコードの角度は異なっている方が補強効果が大きく良好である。
【００３１】
また、カーカス層本体１及びカーカスホールド層８の層数は、それぞれ単層であっても、複数層であってもよく、タイヤの使用目的や用途に応じて決めればよい。また、同一タイヤにおいてカーカス層本体１とカーカスホールド層８の層数は同じであっても、異なっていてもよい。
【００３２】
さらに、複数層使用されるカーカス層本体１あるいはカーカスホールド層８の補強コードは全て同一種類であってもよく、両者間または各層間で互いに異なる種類であってもよい。
【００３３】
カーカス層本体の補強コードのコード角度は、好ましくはタイヤ周方向に対して６０°〜９０°、カーカスホールド層の補強コードのコード角度は、好ましくは２０°〜６０°であり、両者間または各層間では互いに同一方向であっても、異なっていてもよい。
【００３４】
【実施例】
タイヤサイズが１１Ｒ２２．５  １６ＰＲの重荷重用ラジアルタイヤとして、ベルト層及びタイヤケーシングを表１に記載するように設定した図１の構造を有する本発明タイヤ１と、図４の構造を有する本発明タイヤ２と、図５の構造を有する本発明タイヤ３と、図８の構造を有する従来タイヤ１と、図９の構造を有する従来タイヤ２とを製作した。なお、カーカス層、カーカス層本体及びカーカスホールド層のエンド数はリムフランジ高さの位置における値で、各タイヤともに単位幅当たりの強度をほぼ同じにしてある。
【００３５】
なお、上記実施例では、本発明をラジアルタイヤに適用した場合について説明したが、本発明はバイアスタイヤにも同様に適用することができる。
【００３６】
各タイヤについて、下記条件で、荷重耐久性能と操縦安定性能及び乗り心地性能を測定したところ、表１の結果を得た。表中の数値は指数であって、従来タイヤ１の測定値を１００とし数値が大きい方が良好であることを示している。
【００３７】
〔荷重耐久性能〕
日本自動車タイヤ協会１９９９年版ＪＡＴＭＡイヤーブックの標準リムを使用して、最大負荷能力に対応する空気圧を充填し最大負荷能力の１５０％の負荷で６０ｋｍ／ｈで破壊するまで走行した。
【００３８】
〔操縦安定性能＆乗り心地性能〕
日本自動車タイヤ協会１９９９年版ＪＡＴＭＡイヤーブックの標準リムを使用して、最大負荷能力に対応する空気圧を充填し、８トン平ボデー車で８０％積載条件にて一定間隔で立てられているパイロンをスラローム走行し、所要時間と車両の安定性を操縦安定性評価の専門スタッフ２名で評価した。また、同一車両条件で凹凸を有する直進テストコースを５０ｋｍ／ｈで走行し、乗り心地評価の専門スタッフ２名で評価した。
【００３９】
【表１】
0004285594.tif 000002
【００４０】
【発明の効果】
以上詳述の通り、本発明によれば、タイヤケーシングについて、両端部をそれぞれ各ビードコアに巻き上げることなく終端させたカーカス層本体と、このカーカス本体層の端部をビードコアの内周側から左右両側へ折り返すように挟み込むカーカスホールド層とから分離構成し、さらに少なくともタイヤ外側に配置する前記カーカスホールド層の端部は折り曲げられた２層構造としたので、タイヤ構成部品点数を増加しなくても、タイヤ荷重耐久性能と操縦安定性能を向上する重荷重用空気入りタイヤを提供可能にした。
【図面の簡単な説明】
【図１】本発明の一実施形態による重荷重用空気入りタイヤの子午線方向半断面図である。
【図２】本発明の他の実施形態による重荷重用空気入りタイヤのビード部の子午線方向半断面図である。
【図３】本発明のさらに他の実施形態による重荷重用空気入りタイヤのビード部の子午線方向半断面図である。
【図４】本発明のさらに他の実施形態による重荷重用空気入りタイヤのビード部の子午線方向半断面図である。
【図５】本発明のさらに他の実施形態による重荷重用空気入りタイヤのビード部の子午線方向半断面図である。
【図６】本発明のさらに他の実施形態による重荷重用空気入りタイヤのビード部の子午線方向半断面図である。
【図７】本発明のさらに他の実施形態による重荷重用空気入りタイヤのビード部の子午線方向半断面図である。
【図８】従来の重荷重用空気入りタイヤの子午線方向半断面図である。
【図９】従来の他の重荷重用空気入りタイヤのビード部の子午線方向半断面図である。
【符号の説明】
１    カーカス層本体
１ｅ  （カーカス層本体の）端部
２    トレッド部
３    サイド部
４    ビード部
６    ビードコア
７    ビードフィラー
８    カーカスホールド層
８ｆ  （カーカスホールド層）折り曲げ端部
９    べルト部
１０  ケーシング部
１１  カーカス層
１２  ビード部補強層
１３  テキスタイルビード補強コード
Ｐ１  リムフランジ高さ
Ｐ２  タイヤ最大断面幅位置
【図１】
0004285594.tif 000003
【図２】
0004285594.tif 000004
【図３】
0004285594.tif 000005
【図４】
0004285594.tif 000006
【図５】
0004285594.tif 000007
【図６】
0004285594.tif 000008
【図７】
0004285594.tif 000009
【図８】
0004285594.tif 000010
【図９】
0004285594.tif 000011